(57)【要約】【課題】筐体のスロット内に実装されたモジュールの冷却効果を向上するとともに、モジュールの実装位置の選択を自由にする。【解決手段】電子機器筐体１内のスロット２とその上方に設けられた冷却ファン４との間において冷却ファン４側の正面側及び背面側に横一列に複数の可動軸溝７を設け、この可動軸溝７の幾つかに可動軸８を位置可動に嵌合するとともに、冷却ファン４とスロット２との間のスロット２側に横一列に複数の固定軸９を取り付け、伸縮自在な材料からなる風ガイド１０の一端を固定軸９の一つに連結するとともに、風ガイド１０の他端を可動軸８の一つに連結し、可動軸８の位置を移動させることにより、冷却ファン４から各スロット２内のモジュール３への風量を調整する。【選択図】図１
2008047658.tif 000002
【特許請求の範囲】
【請求項１】
電子機器筐体内に上下方向のスロットを横方向に複数並設するとともに、このスロット内にモジュールを収納し、各スロットの上方に設けた冷却ファンから各スロットに冷却風を送入するようにした電子機器の冷却構造において、冷却ファンとスロットとの間において冷却ファン側又はスロット側のどちらか一方の側に設けられた複数の位置固定の固定軸と、冷却ファンとスロットとの間において冷却ファン側又はスロット側のどちらか他方の側に設けられた位置可動の複数の可動軸と、伸縮自在な材料により形成され、一端が固定軸の一つに連結されるとともに、他端が可動軸の一つに連結され、冷却ファンから各スロットへの風量を調整するようにした複数の風ガイドとを備えたことを特徴とする電子機器の冷却構造。
【発明の詳細な説明】
【技術分野】
【０００１】
この発明は、ＣｏｍｐａｃｔＰＣＩやＶＭＥ等のプラグインモジュール等を収納した複数のスロットを有する電子機器の冷却構造に関するものである。
【背景技術】
【０００２】
図３（ａ），（ｂ）は従来の電子機器の斜視図及び縦断正面斜め上方から見た図を示し、１は電子機器の筐体であり、筐体１内には上下方向のスロット２が横方向に複数並設されている。各スロット２内にはプラグインモジュール（モジュール、具体的にはプリント板）３が収納される。また、各スロット２の上方には冷却ファン４が設けられ、冷却ファン４から各スロット２内のモジュール３に冷却風を送入している。筐体１の上端には吸気口１ａが設けられ、筐体１の下端には図示しない排気口が設けられる。
【０００３】
図４（ａ），（ｂ）は従来の他の電子機器の斜視図及び縦断正面斜め上方から見た図を示し、スロット２にモジュール３を実装しない空スロット２がある場合には、モジュール３を実装したスロット２に流れる風量を多くするために、空スロット２の上部又は下部のレール部（図示せず）にふさぎ板５を取り付け、実装スロット２の風量を増やすことが行われている。
【０００４】
なお、この出願の発明に関連する先行技術文献として次のようなものがある。
【特許文献１】特開平１１−１１２１７９号公報
【特許文献２】特開２０００−２７７９６０号公報
【特許文献３】特開２００２−３２９９９２号公報
【発明の開示】
【発明が解決しようとする課題】
【０００５】
しかしながら、上記したような従来の電子機器の冷却構造においては、筐体１内のスロット２に流れる冷却ファン４からの風量により冷却性能が左右される。このため、図５に示すように、全スロット２の幅に対して冷却ファン４を隙間なく実装できない場合、冷却ファン４から外れた部分、即ち冷却ファン４の隙間部分６に対応したスロット２内のモジュール３には、流れる風量は非常に少なくなり、そのスロット２内には発熱量の大きいモジュール３は実装できない。又、冷却ファン４のロータ部４ａに対応した部分の風量も少なくなるので、このロータ部４ａに対応したスロット２内のモジュール３にも流れる風量は少なくなり、このスロット２内にも発熱量の大きいモジュール３を実装できない。又、図３に示したように、空スロット２に対応した部分にふさぎ板５を設ける場合、取付上の関係から予め決められた位置にふさぎ板５を設ける必要があり、モジュール３の位置が自由に選べなかった。
【０００６】
この発明は上記のような課題を解決するために成されたものであり、スロット内へのモジュールの実装位置を自由に選択することができるとともに、各スロットへの送風量を自由に調整することができ、モジュールを効率良く冷却することができる電子機器の冷却構造を得ることを目的とする。
【課題を解決するための手段】
【０００７】
この発明の請求項１に係る電子機器の冷却構造は、電子機器筐体内に上下方向のスロットを横方向に複数並設するとともに、このスロット内にモジュールを収納し、各スロットの上方に設けた冷却ファンから各スロットに冷却風を送入するようにした電子機器の冷却構造において、冷却ファンとスロットとの間において冷却ファン側又はスロット側のどちらか一方の側に設けられた複数の位置固定の固定軸と、冷却ファンとスロットとの間において冷却ファン側又はスロット側のどちらか他方の側に設けられた位置可動の複数の可動軸と、伸縮自在な材料により形成され、一端が固定軸の一つに連結されるとともに、他端が可動軸の一つに連結され、冷却ファンから各スロットへの風量を調整するようにした複数の風ガイドとを備えたものである。
【発明の効果】
【０００８】
以上のようにこの発明の請求項１によれば、冷却ファンとスロットとの間において冷却ファン側又はモジュール側のどちらか一方の側に位置固定の複数の固定軸を設けるとともに、他方の側に位置可動の複数の可動軸を設け、伸縮自在の材料により形成された複数の風ガイドの一端を固定軸に取り付けるとともに、風ガイドの他端を可動軸に取り付けており、可動軸の位置を変えることにより各スロット内のモジュールへの風量を自由に調整することができ、各モジュールへの風量を調整することができ、各モジュールを効率良く冷却することができる。従って、モジュールの実装位置も自由に選択することができる。又、冷却ファンも低速のものを使用することができ、騒音も低減することができる。
【発明を実施するための最良の形態】
【０００９】
以下、この発明を実施するための最良の形態を図面とともに説明する。図１（ａ），（ｂ）はこの発明の実施最良形態による電子機器の斜視図及びその拡大縦断正面図を示し、図２は同じくこの発明の実施最良形態による電子機器の要部斜視図を示す。電子機器の筐体１内には上下方向のスロット２が横方向に複数並設され、各スロット内にはプラグインモジュール（モジュール）３が収納される。又、モジュール３の上方には冷却ファン４が設けられ、冷却ファン４から各スロット２内のモジュール３に冷却風が送入される。筐体１の冷却ファン４とスロット２との間においては、冷却ファン４側の正面側及び背面側に可動軸溝７が横一列に設けられ、正面側と背面側の可動軸溝７には何本かの可動軸８の両端が嵌め込まれ、可動軸８が前後方向に設けられる。又、筐体１の冷却ファン４とスロット２との間においてスロット２側には位置固定の複数の固定軸９が前後方向にかつ等間隔で横一列に取り付けられる。そして、伸縮自在な材料により形成された複数の風ガイド１０の一端を固定軸９の一つに連結するとともに、風ガイド１０の他端を可動軸８の一つに連結する。この場合、可動軸８の位置を変更することにより、冷却ファン４から各スロット２への送風量を風ガイド１０により調整し、スロット内に実装されたモジュール３の冷却効果を向上させる。
【００１０】
上記した実施最良形態においては、各風ガイド１０の向き等を変えることにより、冷却ファン４から各スロット２内のモジュール３へ送入される風量が最適になるように調整しており、スロット２内に実装されたモジュール３の冷却を効率良く行うことができる。又、冷却ファン４として、局部発熱部品を冷却するためには高速ファンを使用していたが、冷却効率が向上したので、中速又は低速のファンを使用することができ、騒音も低減することができる。さらに、ふさぎ板５を設ける必要がないので、モジュール３の実装位置を自由に選択することができ、使用可能なモジュール３の制限が減少する。
【図面の簡単な説明】
【００１１】
【図１】この発明の実施最良形態による電子機器の斜視図及び拡大縦断正面図である。
【図２】この発明の実施最良形態による電子機器の要部斜視図である。
【図３】従来の電子機器の斜視図及び縦断正面斜め上方から見た図である。
【図４】従来の他の電子機器の斜視図及び縦断正面斜め上方から見た図である。
【図５】課題を説明するための従来の電子機器の縦断正面斜め上方から見た図である。
【符号の説明】
【００１２】
１…筐体
２…スロット
３…プラグインモジュール
４…冷却ファン
４ａ…ロータ部
５…ふさぎ板
６…隙間部分
７…可動軸溝
８…可動軸
９…固定軸
１０…風ガイド
【図１】
2008047658.tif 000003
【図２】
2008047658.tif 000004
【図３】
2008047658.tif 000005
【図４】
2008047658.tif 000006
【図５】
2008047658.tif 000007